(57)【要約】      （修正有）【課題】工程管理票等の表示具等にワンタッチで迅速かつ容易に取り付けることができ、次に、部品函等に表示具等を迅速かつ容易に取り付けて吊り下げられ、更に、一旦部品函等に吊り下げた表示具等を、迅速かつ容易に取り外すこともできる、表示具等の吊り下げ部材を提供する。【解決手段】合成樹脂で一体的に成形されてなる表示具等の吊り下げ部材１であって、基板２と、この基板の端部からヒンジ部９を介して伸張する頭部７と、この頭部を挟んで前記基板の端部から伸張する略Ｓ字形の一対の可撓性腕部５とを有し、前記基板と頭部に相互に係合可能な係合部が設けられ、この両係合部の一方が係合穴８に、その他方が前記係合穴に挿入可能な係合突起６に、それぞれ形成されてなる表示具等の吊り下げ部材。【選択図】        図１
2004198607.tif 000002
【特許請求の範囲】
【請求項１】
合成樹脂で一体的に成形されてなる表示具等の吊り下げ部材であって、基板と、この基板の端部からヒンジ部を介して伸張する頭部と、この頭部を挟んで前記基板の端部から伸張する略Ｓ字形の一対の可撓性腕部とを有し、前記基板と頭部に相互に係合可能な係合部が設けられ、この両係合部の一方が係合穴に、その他方が前記係合穴に挿入可能な係合突起に、それぞれ形成されてなる表示具等の吊り下げ部材。
【請求項２】
前記一対の可撓性腕部が前記基板の端部に形成された両肩部から伸張する請求項１に記載の表示具等の吊り下げ部材。
【請求項３】
合成樹脂で一体的に成形されてなる表示具等の吊り下げ部材であって、基板と、この基板の端部から伸張する略半円弧状の一対の可撓性腕部と、前記基板の端部寄りの板面からヒンジ部を介して伸張する止め板とを有し、前記基板と止め板に相互に係合可能な係合部が設けられ、この両係合部の一方が係合穴に、その他方が前記係合穴に挿入可能な係合突起に、それぞれ形成されてなる表示具等の吊り下げ部材。
【発明の詳細な説明】
【０００１】
【発明の属する技術分野】
本発明は、各種製品の生産工程において部品・材料の入出庫管理等に使用する生産工程管理票等の表示具等の吊り下げ部材の改良に関する。
【０００２】
【従来の技術】
各種製品の生産工程において、多数の種類の部品や材料が使用されるが、これらの部品等は、工場外で製造されて工場内に持ち込まれたり、工場内の部品製作所で製造された上、工場内の各作業場に移送されて使用される。部品等は工場内を移送される際、種類別に部品函に収容されている。
【０００３】
このような部品函の一例、例えばワイヤーハーネスを収容する部品函を図５（Ａ）に示す。この部品函６０は、多くはプラスチック製であるが、金属製の場合もある。部品函６０の上端両側には、多数の穴６２をあけた鍔６１が形成されている。
【０００４】
この穴６２を介して、部品の品番やその他のデータを示した工程票５０等の伝票類が、合成樹脂製吊り下げ部材４０で吊り下げられる（図５（Ｂ））が、工程票５０等は通常普通紙が用いられるが、図６に示すように、普通汚れや破損を防止するため、プラスチック製の透明なフィルム袋６０に挿入された状態で吊り下げられる。
【０００５】
吊り下げ部材４０は、偏平な基板４１と、この基板４１の上端部より伸長する略Ｓ字形の一対の可撓性腕部４２と、基板４１の上端部寄りの上部から垂下した偏平な止め板４３からなり、基板４１と止め板４３には相互に対応する位置に穴４４が穿たれている。
【０００６】
工程票５０等を入れたフィルム袋６０に吊り下げ部材４０を取り付けるには、基板４１と止め板４３の間にフィルム袋６０の上端を挿入し、基板４１と止め板４３の穴４４にフィルム袋６０の上端に予め開けられた穴を合わせた状態にして金属製の鳩目を押し通して、これをカシメ用工具でカシメてフィルム袋６０を両板４１，４３に固定、支持する。
【０００７】
次に、前記の部品函６０の穴６２に、吊り下げフック４０の一方の腕部４２を挿入後、両方の腕部４２の上端部を捻じり、上端部同志を絡ませて部品函６０に取り付け、吊り下げるのである（図５（Ｂ））。
【０００８】
さて、工場内の各作業場では、部品函６０が送られてくると、部品函６０から所要な部品を取り出すと共に、部品函６０から吊り下げ部材４０を腕部４２の上端部を捻じり戻して取り外し、フィルム袋６０入りのまま工程票５０等に表示されている２次元バーコードを読み取るとともに、作業場に配置された情報端末に所定の情報を入力する。次に、工程票５０等を再び吊り下げ部材４０で部品函６０に取付け、次の部署に移送する。
【０００９】
そして、工場の情報管理センターでは各作業場で入力されたデータ、情報を集約して、次の部品の発注、補充を手配するという生産工程における部品管理システムになっているのである。
【００１０】
【発明が解決しようとする課題】
しかしながら、上記部品管理システムは次のような問題点がある。
【００１１】
先ず、伝票類入りのフィルム袋に吊り下げ部材を取り付けるために、金属製の鳩目を使用することは、合成樹脂製吊り下げ部材の所定の穴に鳩目という小さな金属製の部材を挿入し、これをカシメるという細かな手間のかかる作業が必要である。
【００１２】
また、一旦使用した吊り下げ部材をリサイクルするためには、カシメた鳩目を取り除くという面倒な手間が必要となる。
【００１３】
また、吊り下げ部材以外に、鳩目を調達し、それを在庫管理するという業務も必要になる。
【００１４】
加えて、普通紙製の伝票類に印字された２次元バーコードは透明フィルム袋に付着して汚れがちであり、そのため読み取りエラーが発生しやすい。
【００１５】
また、汚れた透明フィルム袋の上から伝票類の２次元バーコードを読み取るには、通常のスキャナーでは困難で、高価なリーダーを用意しなければならない。
【００１６】
また、透明フィルム袋はコスト高であるという欠点がある。
【００１７】
【課題を解決するための手段】
上記の課題を解決するための本発明の表示具類の吊り下げ部材は、合成樹脂で一体的に成形されてなり、基板と、この基板の端部からヒンジ部を介して伸張する頭部と、この頭部を挟んで前記基板の端部から伸張する略Ｓ字形の一対の可撓性腕部とを有し、前記基板と頭部に相互に係合可能な係合部が設けられ、この両係合部の一方が係合穴に、その他方が前記係合穴に挿入可能な係合突起に、それぞれ形成されてなることを特徴とする。
【００１８】
または、前記一対の可撓性腕部が前記基板の端部に形成された両肩部から伸張することを特徴とする。
【００１９】
更に、この表示具類の吊り下げ部材は、合成樹脂で一体的に成形されてなり、基板と、この基板の端部から伸張する略半円弧状の一対の可撓性腕部と、前記基板の端部寄りの板面からヒンジ部を介して伸張する板部とを有し、前記基板と板部に相互に係合可能な係合部が設けられ、この両係合部の一方が係合穴に、その他方が前記係合穴に挿入可能な係合突起に、それぞれ形成されてなることを特徴とする。
【００２０】
【発明の実施の形態】
（１）先ず、図面を参照して、本発明の表示具等の吊り下げ部材の実施の形態を説明する。
【００２１】
図１（Ａ）は、表示具等の吊り下げ部材１の背面図、図１（Ｂ）は、表示具等の吊り下げ部材１の側面図であって、同吊り下げ部材１は、ポリプロピレン等の合成樹脂の射出成形による一体成形品である。
【００２２】
同吊り下げ部材１は、伝票類等の表示具等を支持する偏平な基板２を持っている。そして、この基板２の上端部に左右一対の肩部３，３を形成しており、同肩部３，３より伸長する略Ｓ字形の可撓性腕部５と、これと対称形、逆Ｓ字型の第２の可撓性腕部５’とを有する引っ掛け部４を持っている。これら可撓性腕部５，５’の両先端部は、相互に反対方向、外側を向くように構成され、かつ両端部に球形部５Ａ，５Ａを形成している。
【００２３】
なお、可撓性腕部５，５’の伸長方向は、図１（Ａ），（Ｂ）では示す所では上方向であるが、必要に応じてその方向を変えることが可能である。
【００２４】
また、基板２の上端部に肩部を形成せず、可撓性腕部を基板２の上端部から直に伸張させたり、更には基板２の左右の端部から直に伸張するように形成することも可能である。
【００２５】
前記基板２は、その板表面の略中央にに係合突起部６を有し、この係合突起部６が挿入係止される係合穴８を有する頭部７が、基板２の上端部で可撓性腕部５，５’の間から、首の付け根に当たる部分に薄肉に形成されたヒンジ部９を介して、可撓性腕部５，５’の間に伸長している。
【００２６】
なお、上記とは逆に、基板に係合穴を、頭部に係合突起部を、それぞれ設けるように形成することも可能である。
【００２７】
上記係合穴８の内壁には、薄肉で可撓性のある一対の係止片８Ａが斜めに突出しており、頭部７がヒンジ部９を介して基板２に対して折り畳まれることによって、基板２の係合突起部６が頭部７の係合穴８に挿入されたとき、この係止片８Ａに係合突起部６の先端に形成された鍔６Ａが係合することによって、係合突起部６が係合穴８内に一定の固定力で保持されて、一定の引き抜き力を加えない限り係合突起部６は係合穴８から引き抜けないように構成されている。なお、係止片８Ａの数は、一対に限らず、１片以上であれば良い。
【００２８】
係合突起部６が、係合穴８に挿入、係止される仕組みは、係合突起部６が係合穴８に挿入されたとき、係合突起部６が、鍔６Ａの表面で係合穴８の係止片８Ａの先端部を押圧して撓み変形させることによって通過できる空間を生じさせ係止片８Ａを通過するが、係合突起部６の鍔６Ａが通過した瞬間、係止片８Ａの先端部が原状復帰して鍔６Ａの裏面と当接し、係合突起部６が抜き取り方向に戻ることを一定の力で抵抗するというものである。
【００２９】
また、一定の力以上で係合突起部６を抜き取ろうとすると、係止片８Ａの先端部が抜き取り方向に撓み変形して、抜き取りを許容するように構成されている。
【００３０】
鍔６Ａの表面は、係止片８Ａを通過しやすいように丸みないしは面取りを加えて傾斜させ先端方向に狭まるように形成するが好ましい。
【００３１】
また、上述した係合突起部６の抜き取り作業を容易にする目的で、折り畳まれた基板２と頭部７の間に、指先ないしは工具を差し込みし易いように隙間を形成するため、頭部７又は支持板部２の合わせ面となる表面の端の部分を面取りして傾斜面を設けておくのも好ましい。この傾斜面を設けるべき部分を図２（Ａ）で示すと、頭部７の右側になる表面の穴８より上となる部分、又は支持板部２の右側になる表面の係合突起部６より下となる部分である。
【００３２】
図２（Ａ）は、図１（Ａ）のII−II’線矢視断面図であって、基板２と頭部７を示しており、図２（Ｂ）及び（Ｃ）は、先ず頭部７がヒンジ部９を介して基板２方向に折り畳まれ、次に頭部７の係合突起部６が基板２の係合穴８に挿入、係止されるという各ステップを示している。
（２）次に、図４（Ａ）に示す吊り下げ部材１１は、本発明の表示具類の吊り下げ部材のその他の実施の形態である。
【００３３】
同吊り下げ部材１１は、偏平な基板１２を持つ。そして、この基板１２の上端部から伸長する略半円弧状の可撓性腕部１５と、これと対称形の第２の可撓性腕部１５’とを有する引っ掛け部１４を持っている。これら可撓性腕部１５，１５’は、その先端部分が細まって、元の方とは逆方向にカーブする小さな略半円弧状になって、相互に反対方向、外側を向いている。見様によっては、上のカーブ部分が下の反対方向カーブ部分より遙かに小さく形成された変形的不完全Ｓ字型及び逆Ｓ字型であるとも言える。
【００３４】
更に、両先端部には球形部１５Ａ，１５Ａを形成しているが、これら球形部１５Ａ，１５Ａは側面視で多少前後にずれており（図４（Ｂ）に示す）、指先で捻じって相互に絡ませ易くなるように構成している。
【００３５】
前記基板１２は、その板表面に係合穴１８を有し、この係合穴１８に挿入係止される係合突起部１６を有する止め板１７、が基板１２の板表面の上端部寄りの上部より、薄肉のヒンジ部１９を介して側方に伸長している。
【００３６】
係合穴１８の内壁には、係止片が突出しており、止め板１７がヒンジ部１９を介して基板１２に対して折り畳まれることによって、止め板１７の係合突起部１６が止め基板板部１２の係合穴１８に挿入されたとき、係合穴１８の内壁に形成された係止片に係合突起部１６の先端に形成された鍔が係合することによって、係合突起部１６が係合穴１８内に一定の固定力で保持されて、一定の引き抜き力を加えない限り係合突起部１６は係合穴１８から引き抜けないように構成されていることは、前述した吊り下げ部材１と同様である。
【００３７】
この吊り下げ部材１１の基板１２、止め板１７及び引っ掛け部１４は、それぞれ前述の吊り下げ部材１の頭部７、基板２及び引っ掛け部４と全く共通の機能・役割を持っている。
【００３８】
なお、上記と逆に、基板１２に係合突起部を、止め板１７に係合穴を、それぞれ設けるように構成することも可能である。
（３）次に、本発明の表示具類の吊り下げ部材を用いた生産工程管理について説明する。
【００３９】
図３は、吊り下げ部材１を工程管理票５１に取り付けた状態を示している。
【００４０】
ここで使用される工程管理票５１等の表示具等は、合成紙が用いられ、一定の強度があって破損しにくく、汚れにくい性質を持っているので、プラスチック製の透明フィルム袋などでカバーされず、裸のまま使用可能である。
【００４１】
この工程管理票５１は、上部の適宜な位置に穴（図示しない）が穿たれ、この穴に基板２の係合突起部６を通してから、指先で頭部７をヒンジ部９を介して基板２に対して折り畳み、係合突起部６を頭部７の係合穴８に挿入、係止することによって、工程管理票５１に吊り下げ部材１を直接的に、着脱可能に、かつ迅速かつ容易に取り付けることができる。
【００４２】
そして、前述した図５（Ａ）に示した部品等を収容した部品函６０の穴６２に、吊り下げ部材１の可撓性腕部５，５’の一方を挿入後、両方の腕部５，５’の上端部を捻じり、上端部同志を絡ませて部品函６０に取り付け、吊り下げるのである（図５（Ｂ）に示す状態と共通する）。
【００４３】
さて、工場内の各作業場では、部品函６０が送られてくると、部品函６０から所要な部品を取り出すと共に、部品函６０から吊り下げ部材１を腕部５，５’の上端部を捻じり戻して取り外し、工程管理票５１に表示されている２次元バーコードをスキャナーで直接的に、エラーがなく正しく読み取り、作業場に配置された情報端末に所定の情報を入力する。
【００４４】
次に、工程管理票５１を、再び吊り下げ部材１で部品函６０に吊り下げ、次の部署に移送する。
【００４５】
以上のように、部品函６０に吊り下げ部材１を着脱するとき、腕部５，５’先端部に球形部５Ａ，５Ａが形成されているため、指先で捻じり易いとともに、取り外しのときも捻じり戻し易くなっており、更に、腕部５，５’の上端部同志が確実に絡まり、部品函６０の移送中に吊り下げ部材１の脱落事故の発生を防止することができる。
【００４６】
そして、工場の情報管理センターでは、各作業場でエラーがなく正しく入力されたデータ、情報を集約して、次の部品等の発注、補充をエラーがなく適切に手配できるという生産工程管理が実現するのである。
【００４７】
なお、その他の実施の形態である吊り下げ部材１１も、上述した吊り下げ部材１と同様の生産工程管理上の使用が可能であることはいうまでもない。
【００４８】
【発明の効果】
以上のように構成された本発明に係る表示具等の吊り下げ部材は、工程管理票等の表示具等を、簡単な指先操作によってワンタッチで迅速かつ容易に取り付けることができ、次に、部品函等に表示具等を、吊り下げ部材への指先操作で迅速かつ容易に取り付けて吊り下げられる。
【００４９】
更に、一旦部品函等に吊り下げた表示具等を、吊り下げ部材への指先操作で迅速かつ容易に取り外すこともできる。
【図面の簡単な説明】
【図１】（Ａ）本発明の表示具等の吊り下げ部材の背面図である。
（Ｂ）同側面図である。
【図２】（Ａ）図１（Ａ）のII−II’線矢視断面図である。
（Ｂ）頭部が折り畳まれる経過を示す断面図である。
（Ｃ）頭部が折り畳まれた状態を示す断面図である。
【図３】表示具等に吊り下げ部材を取り付けた状態を示す説明図である。
【図４】（Ａ）その他の実施の形態の表示具等の吊り下げ部材の正面図である。
（Ｂ）同側面図である。
【図５】（Ａ）部品函の説明図である。
（Ｂ）部品函に吊り下げ部材（従来技術）を介して工程管理票等を吊り下げた状態を示す説明図である。
【図６】工程管理票等に吊り下げ部材（従来技術）を取り付けた状態を示す説明図である。
【符号の説明】
１  表示具等の吊り下げ部材
２  基板          ３  肩部          ４  引っ掛け部
５，５’  可撓性腕部          ６  係合突起部          ７  頭部
８  係合穴          ９  ヒンジ部
１１  その他の実施の形態の吊り下げ部材
１２  基板          １４  引っ掛け部          １５，１５’  可撓性腕部
１６  係合突起部          １７  止め板          １８  係合穴
１９  ヒンジ部
【図１】
2004198607.tif 000003
【図２】
2004198607.tif 000004
【図３】
2004198607.tif 000005
【図４】
2004198607.tif 000006
【図５】
2004198607.tif 000007
【図６】
2004198607.tif 000008